(57)【要約】      （修正有）【課題】必要時、自身で次亜塩素酸水を生成する薬液生成用容器を提供する。【解決手段】液体未封入時に平らなシート状に折りたたまれ、液体封入時に自立可能形状となる開口部２を有する遮光性パウチ容器１と、開口部に着脱可能に取り付けられ薬液収納容器から吸引した薬液を噴霧する薬液噴霧部３と、水を加えて薬液として調整できるジクロロイソシアヌル酸ナトリウム粉末とから構成される。【選択図】図１
0003230825.tif 000002
【実用新案登録請求の範囲】
【請求項１】
液体未封入時に平らなシート状に折りたたまれ、液体封入時に自立可能形状となる開口部を有する遮光性パウチ容器と、前記開口部に着脱可能に取り付けられ薬液収納容器から吸引した薬液を噴霧する薬液噴霧部と、前記パウチ容器に封入されたジクロロイソシアヌル酸ナトリウム粉末とからなる薬液生成用容器。
【請求項２】
液体未封入時に平らなシート状に折りたたまれ、液体封入時に自立可能形状となる開口部を有する遮光性パウチ容器と、前記開口部に着脱可能に取り付けられるキャップと、前記パウチ容器に封入されたジクロロイソシアヌル酸ナトリウム粉末とからなる薬液生成用容器。
【請求項３】
前記ジクロロイソシアヌル酸ナトリウム粉末は前記薬液収納容器に水を加えて調製した薬液の有効塩素濃度が５０〜４００ｐｐｍとなる封入量であることを特徴とする請求項又は２の薬液生成用容器。
【請求項４】
パウチ容器内面がＰＥＴ、ＰＰ等の粉末附着効果を有する素材であることを特徴とする請求項１、２または３記載の薬液生成用容器。
【考案の詳細な説明】
【技術分野】
【０００１】  本考案は、水を加えることで次亜塩素酸水を生成する薬液生成用容器に関する。
【背景技術】
【０００２】  次亜塩素酸水は殺菌用途として、病院・老人ホーム等の各種厚生施設、食品関連工場、レストラン等の厨房、水泳プール、一般家庭等において使用され、消臭用途としても、公衆トイレ、生ゴミ処理施設、病院・老人ホーム等の各種厚生施設、畜産関係施設、一般家庭等の幅広い分野において好適に使用されている。【０００３】  ジクロロイソシアヌル酸ナトリウムに水を溶媒として生成される柄次亜塩素酸水に関しては、１００ｐｐｍ以上の濃度でアルコールの代替えとしてコロナウイルスに有効であると独立行政法人製品評価技術基盤機構消毒手法タスクフォースの「新型コロナウイルスを用いた候補物資の有効性評価結果の最終報告」にて評価されている。
また、５０ｐｐｍ以上で一定の消毒、消臭効果があり使用されている。
【先行技術文献】
【特許文献】
【０００４】
【特許文献１】特開２００３−１８１３３８
【特許文献２】登録実用新案第３１６５３７５号公報
【考案の概要】
【考案が解決しようとする課題】
【０００５】  次亜塩素酸水は生成後、経時劣化する特性がある。その為、製造者から消費者の手に渡る流通形態において、製造、在庫、配送による店舗移動、店舗やＷＥＢ上による販売という過程を経て消費者に渡るまでに一定以上の時間を経るため、既に生成時の濃度は維持されていない。すなわち濃度品質を最大限維持するには受注生産で製造販売するか、生成器を消費者が一定以上の費用で購入し自身で生成しなければいけなかった。【０００６】  次亜塩素酸水は、経時劣化以外に日光、光によって劣化が促進される特性もある。このため一般的なプラスチックによる容器では劣化の遅延効果が得られにくい。遮光性を向上させるため、黒などの着色があげられるが完全な遮光性とはなりえない。【０００７】  ジクロロイソシアヌル酸ナトリウムは袋入りの固形、粉末としても流通しており、適宜に水道水等の清浄な水に溶かして使用する。適切に密封管理されていれば、水に溶解させるまでは、活性塩素の劣化が発生しにくく、長期保存に適している。この場合、夫々の使用目的に応じて、溶解に使用する水量と薬剤の量を適宜適切に計算しなければならず、また、出来上がった水溶液を使用目的に応じた容器に小分けするという煩雑さは依然として解決されない。
【課題を解決するための手段】
【０００８】  液体未封入時に平らなシート状に折りたたまれ、液体封入時に自立可能形状となる開口部を有する遮光性パウチ容器と、前記開口部に着脱可能に取り付けられ薬液収納容器から吸引した薬液を噴霧する薬液噴霧部と、前記パウチ容器に封入されたジクロロイソシアヌル酸ナトリウム粉末とからなる。【０００９】  液体未封入時に平らなシート状に折りたたまれ、液体封入時に自立可能形状となる開口部を有する遮光性パウチ容器と、前記開口部に着脱可能に取り付けられるキャップと、前記パウチ容器に封入されたジクロロイソシアヌル酸ナトリウム粉末とからなる。【００１０】  前記ジクロロイソシアヌル酸ナトリウム粉末は前記薬液収納容器に水を加えて調製した薬液の有効塩素濃度が５０〜４００ｐｐｍとなる封入量であることを特徴とする
パウチ容器内面がＰＥＴ、ＰＰ等の粉末附着効果を有する素材であることを特徴とする。【００１１】  パウチ容器内面がＰＥＴ、ＰＰ等の粉末附着効果を有する素材であることを特徴とする。
【考案の効果】
【００１２】  液体未封入時に平らなシート状に折りたたまれ、液体封入時に自立可能形状となる開口部を有する遮光性パウチ容器にジクロロイソシアヌル酸ナトリウム粉末を封入しているため、流通時は軽量でコンパクトになるため効率的な流通と品質維持を実現する。【００１３】  パウチ容器容量の水に対して目的とする濃度のジクロロイソシアヌル酸ナトリウム粉末が封入されていることで、消費者はパウチ容器容量にそって水を入れることで、計量等の手間をかけず適切濃度の次亜塩素酸水を生成可能で、薬剤の経時劣化がほとんどなく、活性塩素の効力（有効塩素）が低減せず、長期保存性に優れる塩素系薬剤を用いた殺菌・消毒、消臭に使用することができる。また、粉末状であるため溶解速度が速く、確実に溶解することができる。また、パウチ容器内面に分散された状態で拡散保持されているので、より早く確実に溶解できる。
【図面の簡単な説明】
【００１４】
【図１】本考案の第一実施形態の説明図
【図２】本考案の第一実施形態の内面説明図
【図３】本考案の第一実施形態の底説明図
【図４】本考案の第二実施形態の説明図
【図５】本考案の他の噴霧部の説明図
【考案を実施するための形態】
【００１５】  以下、第一の実施形態について図１乃至図３をもちいて説明する。
図１は本考案の第一実施形態の説明図、図２は本考案の第一実施形態の内面説明図、図３は本考案の第一実施形態の底説明図である。
【００１６】  パウチ容器１はＡＬを利用し、遮光性に優れたシートにより作られる。例えば、ＰＥＴ／ドライ／ＡＬ／ドライ／ＬＬＤＰＥ等である。中間層にＡＬを配することで遮光性に高いパウチ容器となる。尚、ＰＥＴ、ＬＬＤＰＥはＰＰ、ＯＮＹ、ＬＬ等、次亜塩素酸水用容器として一般的に考えられる素材としてもよい。
これが表裏シート並びに底部シートの部材よりなり、図１に示すようにヒートシール部で接合されている。これにより、ジクロロイソシアヌル酸ナトリウム粉末を入れただけの状態では、図２ａに示すように底部が内側に曲がり込められ、平らや略シート状となる。パウチ容器１に適正水道水を入れることで図２ｂのように全体が広がり自立できるようになる。
パウチ容器１の側辺部にはプラスチックで成型された側部形状保持部６が設けられている。使用により内容量が減っていく過程で、この側部形状保持部６により上部が折れ曲がるのを防ぐ。
パウチ容器１上部には開口部スプレー取付部２が設けられている。これを通して次亜塩素水を外部に排出するととに、キャップや噴霧機構部材を着脱可能に取り付けることができる。
また、パウチ容器表面に入れる容量の目安となる目安線等を入れておくことで、より簡単に正確に近い容量の水を入れることができる。
【００１７】  本実施形態においては、噴霧機構部材としてスプレーヘッド３を使用するものとして説明する。
スプレーヘッド３はトリガータイプで開口部スプレー取付部２に着脱可能に取り付けられ噴霧するものである。
図には記載されていないが内部において吸引チューブにより容器内部の溶液を吸引するものである。
先端には回転式の噴出キャップ１０が設けられている。これを回転させることで霧状噴霧、噴霧ＯＦＦ、ストレート噴霧、噴霧ＯＦＦと切り替わるようになっている。
【００１８】  パウチ容器１には水道水を入れることで次亜塩素酸水を生成することのできるジクロロイソシアヌル酸ナトリウム粉末が封入されている。
ジクロロイソシアヌル酸ナトリウム粉末は目的とする５０ｐｐｍから４００ｐｐｍを生成するのにごく少量でよい。例えば５００ｍｌ容器で５０ｐｐｍ生成するのであれば０．０５ｇほどで足りる。その為、封入時の測定が困難であるが、その際は次亜塩素酸水生成に効果を妨げない増量剤を用いることも本発明のジクロロイソシアヌル酸ナトリウム粉末の定義中とする。
封入した際、パウチ容器内面がＰＥＴ、ＰＰ等の粉末附着効果を有する素材であるため、図３に示すように大部分が内壁にジクロロイソシアヌル酸ナトリウム粉末３が分散附着している。粉末附着効果としては摩擦力、静電効果があげられる。これをより効率的に分散附着するために、封入時粉末が分散するように振ったり回転させることでより分散が広がり、より早く水に溶解する。
【００１９】  以下、本実施形態の使用方法を説明する。
販売時には、目的とする次亜塩素酸水を生成する濃度に合わせたジクロロイソシアヌル酸ナトリウム粉末が内壁にできるだけ分散分着された状態で製品として流通、保管、販売される。この際、ジクロロイソシアヌル酸ナトリウム粉末は水に溶解されていない粉末状なので、その特性を劣化させない。
【００２０】  消費者はこれを購入し、自宅でパウチ容器容量に応じた水を注ぎこみ、スプレーヘッド３を取り付ける。その状態で１０回ほどふることでが、その際は次亜塩素酸水生成に効果を妨げない増量剤を用いることも本発明のジクロロイソシアヌル酸ナトリウム粉末は溶解する。
この際、ジクロロイソシアヌル酸ナトリウム粉末が内壁に分散附着していると、より早く確実に溶解することができる。
あとは、手指、テーブル、ソファ、リモコン、調理器具、身の回り品、スマホ等消毒目的の対象物に直接噴霧するか、布などにかけたもので拭き、除菌作業をする。
トイレ、介護施設などの消臭の際は、霧状噴霧で空間に噴霧する。
これにより、次亜塩素水が除菌作用、消臭作用をもたらす。
【００２１】  以下、第二実施形態について図４をもちいて説明する。
本実施形態では生成及び詰替え用として使用するものである。
パウチ容器１にはスプレーヘッドに替わりキャップ８が設けられている。
第一実施形態のスプレーヘッドを有するものは、それ自体で生成ならびに噴霧可能であるが、使い終わった際スプレーヘッドともに廃棄するのは、廃棄面及びコスト面で非合理的である。
その為、本実施形態はキャップ８を用いることで、生成並びに付け替え用に特化したものである。これにより無駄なゴミの発生を防ぐとともに経済的となる。
【００２２】  上記、第一実施形態では噴霧機構としてスプレーヘッドを利用したが、噴霧や排出という点では一般的な噴霧排出機構であってもよい。
図５はノズルスプレー９を用いたものである。これ以外にもプッシュ式スプレー等一般的に使用されるものであればよい。
【符号の説明】
【００２３】１  パウチ容器
２  開口部スプレー取付部
３  スプレーヘッド
４  ジクロロイソシアヌル酸ナトリウム粉末
５  底部
６  側部形状保持部
７  ヒートシール部
８  キャップ
９  ノズルスプレー
１０  噴出キャップ
【図１】
0003230825.tif 000003
【図２】
0003230825.tif 000004
【図３】
0003230825.tif 000005
【図４】
0003230825.tif 000006
【図５】
0003230825.tif 000007
【手続補正書】
【提出日】令和2年11月20日(2020.11.20)
【手続補正１】
【補正対象書類名】実用新案登録請求の範囲
【補正対象項目名】請求項３
【補正方法】変更
【補正の内容】
【請求項３】
前記ジクロロイソシアヌル酸ナトリウム粉末は前記薬液収納容器に水を加えて調製した薬液の有効塩素濃度が５０〜４００ｐｐｍとなる封入量であることを特徴とする請求項１又は２の薬液生成用容器。